(57)【要約】【課題】斜め方向への光の漏れを低減し、従来に比べて表示品質がより一層優れた液晶表示装置を提供する。【解決手段】複数の画素が配列された液晶表示パネル１０７と、液晶表示パネル１０７に形成されて画素に接続された複数のゲートバスライン及び複数のデータバスライン１１８と、映像信号を入力し表示信号を出力する表示コントローラと、複数のゲートバスラインに順番に走査信号を供給するゲートドライバと、複数のデータバスライン１１８に表示信号を供給するデータドライバと、データドライバの４ｋ＋１、４ｋ＋２、４ｋ＋３及び４ｋ＋４（但し、ｋは０を含む自然数）番目の出力端のうちの４ｋ＋２番目及び４ｋ＋３番目の出力端から出力された信号を、それぞれ４ｋ＋３番目及び４ｋ＋２番目のデータバスライン１１８に供給する配線切換え部とを有する。【選択図】図２２
2010204674.tif 000002
【特許請求の範囲】
【請求項１】
複数の画素が配列された液晶表示パネルと、
前記液晶表示パネルに形成されて前記画素に接続された複数のゲートバスライン及び複数のデータバスラインと、
映像信号を入力し表示信号を出力する表示コントローラと、
前記複数のゲートバスラインに順番に走査信号を供給するゲートドライバと、
前記複数のデータバスラインに表示信号を供給するデータドライバと、
前記データドライバの４ｋ＋１、４ｋ＋２、４ｋ＋３及び４ｋ＋４（但し、ｋは０を含む自然数）番目の出力端のうちの前記４ｋ＋２番目及び前記４ｋ＋３番目の出力端から出力された信号を、それぞれ４ｋ＋３番目及び４ｋ＋２番目のデータバスラインに供給する配線切換え部と
を有することを特徴とする液晶表示装置。
【請求項２】
前記配線切換え部は、前記データドライバの前記４ｋ＋１番目及び前記４ｋ＋４番目の出力端から出力された信号を、それぞれ４ｋ＋１番目及び４ｋ＋４番目のデータバスラインに供給することを特徴とする請求項１に記載の液晶表示装置。
【請求項３】
複数の画素が配列された液晶表示パネルと、
前記液晶表示パネルに形成されて前記画素に接続された複数のゲートバスライン及び複数のデータバスラインと、
映像信号を入力し表示信号を出力する表示コントローラと、
前記複数のゲートバスラインに順番に走査信号を供給するゲートドライバと、
前記複数のデータバスラインに表示信号を供給するデータドライバと、
前記複数のデータバスラインを複数本づつに区切ってなるグループのそれぞれに設けられ、前記グループの前記データバスラインのうちの少なくとも２本のデータバスラインを、当該グループにおける並んだ順番と異なる順番の前記データドライバの出力端に接続する配線切換え部と
を有することを特徴とする液晶表示装置。
【請求項４】
各グループの前記配線切換え部によって入れ替えられる前記データバスラインの順番及び前記データドライバの出力端の順番は、同じであることを特徴とする請求項３に記載の液晶表示装置。
【請求項５】
前記配線切換え部を介して前記データドライバの出力端に接続される前記データバスラインの本数は、前記配線切換え部を介さずに前記データドライバの出力端に接続される前記データバスラインの本数と同じであることを特徴とする請求項３又は請求項４に記載の液晶表示装置。
【請求項６】
複数の画素が配列された液晶表示パネルと、
前記液晶表示パネルに形成されて前記画素に接続された複数のゲートバスライン及び複数のデータバスラインと、
映像信号を入力し表示信号を出力する表示コントローラと、
前記複数のゲートバスラインに順番に走査信号を供給するゲートドライバと、
奇数番目のデータバスラインに表示信号を供給する第１のデータドライバと、
偶数番目のデータバスラインに表示信号を供給する第２のデータドライバと
を有し、前記表示コントローラは、前記複数の画素に対し、前記第１及び第２のデータドライバを介して２画素毎に極性が異なり、かつ１画素毎に階調が異なる表示信号を供給することを特徴とする液晶表示装置。
【発明の詳細な説明】
【技術分野】
【０００１】
本発明は、液晶表示パネルの各画素に供給する表示信号の階調を経時的に変化させて斜めから画像を見たときに正面に比べて画像の色の再現性が劣化する現象を抑制する液晶表示装置に関する。
【背景技術】
【０００２】
液晶表示装置は、ＣＲＴ（Cathode Ray Tube）に比べて薄くて軽量であり、低電圧で駆動できて消費電力が小さいという利点がある。そのため、液晶表示装置は、テレビ、ノート型ＰＣ（パーソナルコンピュータ）、ディスクトップ型ＰＣ、ＰＤＡ（携帯端末）及び携帯電話など、種々の電子機器に使用されている。特に、各画素（サブピクセル）毎にスイッチング素子としてＴＦＴ（Thin Film Transistor：薄膜トランジスタ）を設けたアクティブマトリクス型液晶表示装置は、その駆動能力の高さからＣＲＴにも匹敵する優れた表示特性を示し、ディスクトップ型ＰＣやテレビなど、従来ＣＲＴが使用されていた分野にも広く使用されるようになった。
【０００３】
一般的に、液晶表示装置は、図１に示すように、スペーサ３１を挟んで配置されてシール材３２により接合された２枚の透明基板１０，２０と、これらの基板１０，２０間に封入された液晶３０とにより構成されている。一方の基板１０には画素毎に画素電極及びＴＦＴ等が形成され、他方の基板２０には画素電極に対向するカラーフィルタと、各画素共通のコモン（共通）電極とが形成されている。カラーフィルタには赤色（Ｒ）、緑色（Ｇ）及び青色（Ｂ）の３種類があり、画素毎にいずれか１色のカラーフィルタが配置されている。隣接して配置された赤色（Ｒ）、緑色（Ｇ）及び青色（Ｂ）の３つの画素で１つのピクセル（Pixel ）を構成する。
【０００４】
以下、画素電極及びＴＦＴが形成された基板をＴＦＴ基板と呼び、ＴＦＴ基板に対向して配置される基板を対向基板と呼ぶ。また、ＴＦＴ基板と対向基板との間に液晶を封入してなる構造物を液晶表示パネルという。
【０００５】
通常、ＴＦＴ基板１０は、接続端子の分だけ対向基板２０よりも大きく形成されている。ＴＦＴ基板１０及び対向基板２０により構成される液晶表示パネル４０の両側には、それぞれ偏光板４１，４２が配置されている。また、液晶表示パネル４０の下方にはバックライト（図示せず）が配置されている。
【０００６】
従来は、２枚の基板１０，２０間に水平配向型液晶（誘電率異方性が正の液晶）を封入し、液晶分子をツイスト配向させるＴＮ（Twisted Nematic ）型液晶表示装置が広く使用されていた。しかし、ＴＮ型液晶表示装置には視野角特性が悪く、画面を斜め方向から見たときにコントラストや色調が大きく変化するという欠点がある。このため、視野角特性が良好なＭＶＡ（Multi-domain Vertical Alignment ）型液晶表示装置が開発され、実用化されている。
【０００７】
図２（ａ），（ｂ）は、ＭＶＡ型液晶表示装置の一例を示す模式断面図である。ＴＦＴ基板１０及び対向基板２０はスペーサ（図示せず）を挟んで配置されており、これらの基板１０，２０の間には垂直配向型液晶（誘電率異方性が負の液晶）３０が封入されている。ＴＦＴ基板１０の画素電極１２の上には、ドメイン規制用構造物として複数の土手状の突起１３が形成されている。画素電極１２及び突起１３の表面は、例えばポリイミドからなる垂直配向膜１４に覆われている。
【０００８】
対向基板２０のコモン電極２２の上にも、ドメイン規制用構造物として複数の土手状の突起２３が形成されている。これらの突起２３は、ＴＦＴ基板１０側の突起１３に対し斜め方向にずれた位置に配置されている。コモン電極２２及び突起２３の表面も、例えばポリイミドからなる垂直配向膜２４に覆われている。
【０００９】
ＭＶＡ型液晶表示装置においては、画素電極１２とコモン電極２２との間に電圧を印加しない状態では、図２（ａ）に示すように、殆どの液晶分子３０ａは基板面に対し垂直に配向する。但し、突起１３，２３の近傍の液晶分子３０ａは、突起１３，２３の傾斜面に垂直な方向に配向する。
【００１０】
画素電極１２とコモン電極２２との間に所定の電圧を印加すると、電界の影響により液晶分子３０ａは基板面に対し斜めに配向する。この場合に、図２（ｂ）に示すように、突起１３，２３の両側では液晶分子３０ａの傾斜方向が異なり、いわゆる配向分割（マルチドメイン）が達成される。
【００１１】
この図２（ｂ）に示すように、ＭＶＡ型液晶表示装置では電圧を印加したときの液晶分子３０ａの傾斜方向が突起１３，２３の両側で異なるので、斜め方向への光の漏れが抑制され、優れた視野角特性が得られる。
【００１２】
上記の例ではドメイン規制用構造物が突起の場合について説明したが、電極に設けたスリットや、基板表面の窪み（溝）をドメイン規制用構造物とすることもある。また、図２（ａ），（ｂ）ではＴＦＴ基板１０及び対向基板２０の両方にドメイン規制用構造物を設けた例について説明したが、ＴＦＴ基板１０及び対向基板２０のうちのいずれか一方のみにドメイン規制用構造物を形成してもよい。
【００１３】
図３は、ＴＦＴ基板１０側の画素電極１２に、ドメイン規制用構造物としてスリット１２ａを形成した例を示している。スリット１２ａの縁部では電気力線がスリット１２ａの中央に向けて斜め方向に発生するので、スリット１２ａの両側で液晶分子３０ａの傾斜方向が異なる。これにより配向分割が達成され、視野角特性が向上する。
【００１４】
図４は実際のＭＶＡ型液晶表示装置の一例を示す平面図である。この図４は、ＭＶＡ型液晶表示装置のＴＦＴ基板の１画素分の領域を示している。
【００１５】
ＴＦＴ基板には、水平方向に延びる複数のゲートバスライン５１と、垂直方向に延びる複数のデータバスライン５５とがそれぞれ所定のピッチで配置されている。これらのゲートバスライン５１及びデータバスライン５５により区画される矩形の領域がそれぞれ画素領域である。また、ＴＦＴ基板には、ゲートバスライン５１と平行に配置されて画素領域の中央を横断する補助容量バスライン５２が形成されている。ゲートバスライン５１及び補助容量バスライン５２とデータバスライン５５との間には第１の絶縁膜が形成されており、この第１の絶縁膜によりゲートバスライン５１とデータバスライン５５との間、及び補助容量バスライン５２とデータバスライン５５との間が電気的に分離されている。
【００１６】
各画素領域には、それぞれＴＦＴ５４、画素電極５６及び補助容量電極５３が形成されている。ＴＦＴ５４は、ゲートバスライン５１の一部をゲート電極としている。また、ＴＦＴ５４のドレイン電極５４ｄはデータバスライン５５に接続しており、ソース電極５４ｓはゲートバスライン５１を挟んでドレイン電極５４ｄに対向する位置に形成されている。更に、補助容量電極５３は、第１の絶縁膜を挟んで補助容量バスライン５２に対向する位置に形成されている。
【００１７】
補助容量電極５３、ＴＦＴ５４及びデータバスライン５５は第２の絶縁膜に覆われており、画素電極５６はこの第２の絶縁膜の上に配置される。画素電極５６はＩＴＯ（Indium-Tin Oxide）等の透明導電体からなり、第２の絶縁膜に形成されたコンタクトホール６２ａ，６２ｂを介してＴＦＴ５４のソース電極５４ｓ及び補助容量電極５３に電気的に接続している。また、画素電極５６には、斜め方向に延びる２本のスリット５６ａが上下対称に形成されている。この画素電極５６の表面は、例えばポリイミドからなる垂直配向膜により覆われている。
【００１８】
ＴＦＴ基板に対向して配置される対向基板には、ブラックマトリクス、カラーフィルタ及びコモン電極が形成されている。コモン電極の上には、図４に一点鎖線で示すように、スリット５６ａと平行に延びる土手状の突起７１が形成されている。これらの突起７１は、画素電極５６のスリット５６ａに対し斜め方向にずれた位置に配置されている。コモン電極及び突起７１の表面は、例えばポリイミドからなる垂直配向膜に覆われている。
【００１９】
このように構成された液晶表示装置において、ＴＦＴ基板の画素電極５６と対向基板のコモン電極との間に所定の電圧を印加すると、液晶分子の配向方向が相互に異なる４つの領域（ドメイン）が形成される。これらの領域は、突起７１及びスリット５６ａを境界としている。これにより、良好な視野角特性が得られる。
【００２０】
ところで、従来のＭＶＡ型液晶表示装置は、ＴＮ型液晶表示装置に比べれば良好な視野角特性を示すものの、画面を斜め方向から見たときに白っぽくなる現象が発生する。図５は、横軸に印加電圧（Ｖ）をとり、縦軸に透過率（Ｔ）をとって、画面を正面から見たときのＴ−Ｖ特性と上６０°の方向から見たときのＴ−Ｖ特性とを示す図である。この図５に示すように、しきい値電圧よりも若干高い電圧を画素電極に印加したとき（図中丸で囲んだ部分）には、斜め方向から見たときの透過率が正面から見たときの透過率よりも高くなる。また、印加電圧がある程度高くなると、斜め方向から見たときの透過率は、正面から見たときの透過率よりも低くなる。このため、斜め方向から見たときには赤色画素、緑色画素及び青色画素の輝度差が小さくなり、その結果前述したように画面が白っぽくなる現象が発生する。この現象は、白茶け（discolor）と呼ばれている。白茶けは、ＭＶＡ型液晶表示装置だけでなく、ＴＮ型液晶表示装置でも発生する。
【００２１】
米国特許第４８４０４６０号の明細書には、１つの画素を複数の副画素に分割して、それらの副画素を容量結合することが提案されている。このような液晶表示装置では、各副画素の容量比によって電位が分割されるため、各副画素に相互に異なる電圧を印加することができる。従って、見かけ上、１つの画素にＴ−Ｖ特性のしきい値が異なる複数の領域が存在することになる。このように１つの画素にＴ−Ｖ特性のしきい値が異なる複数の領域が存在すると、図５に示すように正面から見たときの透過率よりも斜め方向から見たときの透過率が高くなる現象が抑制され、その結果画面が白っぽくなる現象（白茶け）も抑制される。
【００２２】
特許第３０７６９３８号の明細書（特開平５−６６４１２号公報）には、図６に示すように、画素電極を複数（図６では４つ）の副画素電極８１ａ〜８１ｄに分割し、各副画素電極８１ａ〜８１ｄの下方に絶縁膜を介して制御電極８２ａ〜８２ｄをそれぞれ配置した液晶表示装置が開示されている。この液晶表示装置では、制御電極８２ａ〜８２ｄの大きさがそれぞれ異なっており、ＴＦＴ８０を介して制御電極８２ａ〜８２ｄに表示電圧が印加されるようになっている。また、副画素電極８１ａ〜８１ｄの間から光が漏れることを防止するために、副画素電極８１ａ〜８１ｄの間にも制御電極８３を配置している。
【００２３】
これらの公報に記載されているように、１つの画素を容量結合した複数の副画素に分割して表示特性を改善する方法は、容量結合によるＨＴ（ハーフトーングレースケール）法と呼ばれる。
【００２４】
一方、特開２００１−７５０７３号公報には、例えば偶数フレームには画素電極に第１の電圧Ｖ１を印加し、奇数フレームには画素電極に第１の電極Ｖ１よりも０．５〜１．５Ｖ程度低い電圧Ｖ２を印加することにより、液晶表示装置の視野角特性を向上させることが提案されている。以下、画素電極に第１の電圧Ｖ１を印加しているときを明表示と呼び、第１の電圧Ｖ１よりも低い第２の電圧Ｖ２を印加しているときを暗表示と呼ぶ。また、明表示の画素と暗表示の画素との配列を示すパターンを、明暗表示パターンと呼ぶ。
【００２５】
特開２００１−７５０７３号公報には、奇数フレームには図７（ａ）に示すように全ての画素を暗表示とし、偶数フレームには図７（ｂ）に示すように全ての画素を明表示とすることが記載されている。また、奇数フレームには図８（ａ）に示すように奇数番目（ｎ，ｎ＋２，…）のゲートバスラインに接続された画素を暗表示、偶数番目（ｎ＋１，ｎ＋３，…）のゲートバスラインに接続された画素を明表示とし、偶数フレームには図８（ｂ）に示すように奇数番目のゲートバスラインに接続された画素を明表示、偶数番目のゲートバスラインに接続された画素を暗表示としてもよいことが記載されている。なお、図７（ａ），（ｂ）、図８（ａ），（ｂ）中のＲ・Ｇ・Ｂは、それぞれ赤色（Ｒ）画素、緑色（Ｇ）画素及び青色（Ｂ）画素を示している。
【００２６】
前述した容量結合によるＨＴ法においては、１つの画素を複数の領域に分割し、各領域に異なる電圧を印加して視野角特性を改善しようとするもの（空間分割）であるのに対し、特開２００１−７５０７３公報に記載された液晶表示装置では画素電極に印加する電圧を時間で変化させることで、ＨＴ法による効果を得ようとするものである。以下、このような方法を時分割によるＨＴ法と呼ぶ。
【００２７】
ところで、通常、液晶表示装置では焼きつきを防止するために、１フレーム毎に画素電極に印加する電圧（表示信号）の極性を変化させている。この場合、正極性（＋）の電圧を印加したときと負極性（−）の電圧を印加したときとでは透過率が若干異なるので、例えば奇数フレームに全ての画素に正極性の電圧を印加し、偶数フレームに全ての画素に負極性の電圧を印加すると、ちらつき（フリッカ）が発生する。このため、通常、図９（ａ），（ｂ）に示すように、水平方向及び垂直方向に隣合う画素に異なる極性の電圧を印加し、更にフレーム毎に各画素に印加する電圧の極性を変化させている。
【００２８】
以下、図９（ａ），（ｂ）に示すように各画素に印加する電圧の極性を示すパターンを極性パターンと呼ぶ。また、例えば図９（ａ），（ｂ）に示すように、水平方向に並んだ画素に対し１画素毎に極性が異なる電圧を印加し、垂直方向に並んだ画素に対し１画素毎に極性が異なる電圧を印加する極性パターンを、横１ドット反転・縦１ドット反転極性パターンというように呼ぶ。
【００２９】
特開平８−１７１３６９号公報には、横方向（水平方向）輝度傾斜、横方向クロストーク及び縦方向（垂直方向）輝度傾斜などの表示不良を低減することを目的とし、隣合うデータバスラインに交互に極性が異なる電圧を印加することが提案されている。
【００３０】
また、特開２００３−３３７５７７号公報には、例えば垂直周波数とフリッカの有無とに応じて、１画素毎に極性を反転する１ドット反転極性パターンと、２画素毎に極性を反転する２ドット反転極性パターンとを切換える液晶表示装置が提案されている。
【先行技術文献】
【特許文献】
【００３１】
【特許文献１】米国特許第４８４０４６０号の明細書
【特許文献２】特許第３０７６９３８号の明細書
【特許文献３】特開２００１−７５０７３号公報
【特許文献４】特開平８−１７１３６９号公報
【特許文献５】特開２００３−３３７５７７号公報
【発明の概要】
【発明が解決しようとする課題】
【００３２】
容量結合によるＨＴ法では、副画素電極間の領域の液晶分子を副画素電極に印加する電圧によって所望の方向に配向させることができないので、開口率が低下し、十分な輝度を確保することができなくなるという欠点がある。また、制御電極と画素電極との間に薄い絶縁膜を形成したり、副画素電極間に幅の狭いスリットを形成することが必要となるため、副画素電極と制御電極との間や、隣合う副画素電極間が短絡しやすくなるという欠点もある。
【００３３】
前述した特開２００１−７５０７３号公報に記載されている時分割によるＨＴ法では、このような欠点はない。しかし、本願発明者等の実験・研究により、特開２００１−７５０７３号公報に開示された技術をＭＶＡ型液晶表示装置に適用しても、十分な効果を得ることができないことが判明した。
【００３４】
すなわち、特開２００１−７５０７３号公報では、電圧Ｖ１は電圧Ｖ１だけを画素電極に印加したときに所望の輝度となる電圧と定義し、電圧Ｖ２は電圧Ｖ１よりも一定の値（０．５〜１．５Ｖ程度）だけ低い電圧と定義している。このように異なる電圧Ｖ１，Ｖ２を画素電極に交互に印加すると、電圧Ｖ１のみを印加したときの輝度よりも低くなるはずである。特開２００１−７５０７３号公報では、画素電極に電圧Ｖ１を印加したときの輝度と、画素電極に電圧Ｖ２を印加したときの輝度との差が殆どないため、画素電極に電圧Ｖ１，Ｖ２を交互に印加したときの輝度は、画素電極に電圧Ｖ１のみを印加したときの輝度と実質的に同じになるとしている。
【００３５】
図１０は、横軸に電圧Ｖ１，Ｖ２の階調差をとり、縦軸に斜め方向から見たときの輝度をとって、中間階調（１２７／２５５）の表示を行ったときの電圧Ｖ１，Ｖ２の階調差と斜め方向における輝度との関係を示す図である。一般的に、特開２００１−７５０７３号公報に記載されている輝度差を感じない程度の階調差とは、おおよそ１／２５５〜４／２５５程度であり、それ以上の階調差があると輝度差が十分に認識される。しかし、図１０からわかるように、１／２５５〜４／２５５程度の階調差では輝度は殆ど変化しない。正面方向の輝度を維持しつつ斜め方向の輝度を十分に低減するには、少なくとも９６階調以上の差を設定する必要がある。すなわち、特開２００１−７５０７３号公報に記載されているように電圧Ｖ１，Ｖ２の差を輝度差がわからない程度とすると、時分割によるＨＴ法の効果を得ることができず、従って視野角特性を改善することができない。
【００３６】
時分割によるＨＴ法において、視野角特性を改善する効果を十分に発揮するためには、電圧Ｖ１を印加したときの輝度を所望の輝度よりも高くし、電圧Ｖ２を印加したときの輝度を所望の輝度よりも低くして、電圧Ｖ１，Ｖ２の輝度差を大きくすることが必要となる。
【００３７】
図１１は、横軸に入力階調をとり、縦軸に出力階調をとって、所望の輝度を得るために必要な電圧Ｖ１，Ｖ２の入出力階調特性を示す図である。例えば、出力階調が１２５／２５５となるようにするためには、電圧Ｖ１のときの入力階調を２２５／２５５、電圧Ｖ２のときの入力階調を１００／２５５として、１２５階調もの差をつける必要がある。このように電圧Ｖ１，Ｖ２の差を大きくした場合、図７（ａ），（ｂ）に示す明暗表示パターンで液晶表示パネルを駆動すると画面全体にフリッカが激しく発生し、図８（ａ），（ｂ）に示す明暗表示パターンで液晶表示パネルを駆動すると横方向に延びるすじ状のフリッカが激しく発生する。
【００３８】
すなわち、特開２００１−７５０７３公報に開示された技術は、少なくとも以下の三つの問題を持つ。
（１）入力信号と出力する輝度が一致しない。
（２）階調差が少ないときには視野角特性を改善する効果がない。
（３）階調差を大きくすると、明暗表示パターンが目立って見えてしまう。
【００３９】
本願出願人による特許願２００３−９３７９３号には、図１２（ａ），（ｂ）に示すように、水平方向及び垂直方向に隣合う画素に交互に電圧Ｖ１，Ｖ２を印加することを記載している。このような明暗表示パターン（横１ドット反転・縦１ドット反転明暗表示パターン）と図１２（ｃ），（ｄ）に示す極性パターン（横１ドット反転・縦１ドット反転極性パターン）とを組み合わせると、図１２（ｅ），（ｆ）に示すようになる。すなわち、暗表示の画素と明表示の画素とが水平方向及び垂直方向に交互に並び、且つ正極性の電圧が印加される画素と負極性の電圧が印加される画素とが水平方向及び垂直方向に交互に並ぶ。
【００４０】
しかし、この場合は、図１２（ｅ），（ｆ）からわかるように、明表示の画素には負極性の電圧のみが印加され、暗表示の画素には正極性の電圧のみが印加される。このため、液晶層に直流成分が印加されて、焼きつきやちらつきが発生する。
【００４１】
特許願２００３−９３７９３号には、図１３（ｃ），（ｄ）に示すような極性パターン（横１ドット反転・縦２ドット反転極性パターン）で液晶表示パネルを駆動することも記載している。この極性パターンと図１３（ａ），（ｂ）に示す明暗表示パターン（横１ドット反転・縦１ドット反転明暗表示パターン）とを組み合わせると、図１３（ｅ），（ｆ）に示すようになる。すなわち、明表示の画素と暗表示の画素とが水平方向及び垂直方向に交互に並び、且つ正極性の電圧が印加される画素と負極性の電圧が印加される画素とが水平方向には交互に、垂直方向には２つおきに並ぶ。
【００４２】
しかし、この場合は、図１３（ｅ），（ｆ）からわかるように、水平方向に並んだ画素のうち、明表示の画素には一方の極性（正極性又は負極性）の電圧のみが印加され、暗表示の画素には他方の極性（負極性又は正極性）の電圧のみが印加される。
【００４３】
水平方向に並んだ各画素の画素電極はＴＦＴを介して同一のゲートバスラインに接続されるとともに、同一の補助容量バスラインと容量結合して補助容量を形成している。従って、図１３（ｅ），（ｆ）に示すように１つのゲートバスラインに接続されている画素に電位に大きな偏りがあると、これらのゲートバスライン及び補助容量バスラインの電位が変動してしまう。これにより、横ライン毎のちらつきが発生する。
【００４４】
また、上記特許願２００３−９３７９３号には、図１４（ａ），（ｂ）に示すような明暗表示パターン（横２ドット反転・縦１ドット反転明暗表示パターン）と、図１４（ｃ），（ｄ）に示すような極性パターン（横１ドット反転・縦２ドット反転極性パターン）とを組み合わせて、図１４（ｅ），（ｆ）に示すように駆動することも提案している。この方法では、図１４（ｅ），（ｆ）からわかるように、明表示と暗表示との空間的バランス、及び正極性と負極性との空間的なバランスがよく、且つ１つの画素に着目すると、フレーム毎に正極性の暗表示、正極性の明表示、負極性の暗表示、負極性の明表示というように変化するので、焼きつきやフリッカの発生を防止することができる。
【００４５】
しかしながら、図１４（ａ）〜（ｆ）に示す方法では、明表示と暗表示とが水平方向に２画素毎に変化するので、ざらついた画面になるという欠点がある。
【００４６】
以上から、本発明の目的は、斜め方向への光の漏れを低減し、従来に比べて表示品質がより一層優れた液晶表示装置を提供することにある。
【課題を解決するための手段】
【００４７】
上記した課題に関するものとして、水平方向及び垂直方向に配列した複数の画素と、映像信号を入力し、前記複数の画素にそれぞれ表示信号を供給する表示信号供給部とを有する液晶表示装置の駆動方法において、前記表示信号供給部は、前記映像信号の階調よりも高い階調となる第１の表示信号を供給して明表示とする明表示画素と前記映像信号の階調よりも低い階調となる第２の表示信号を供給して暗表示とする暗表示画素との配列を示す明暗表示パターンと、正極性の表示信号を供給する正極性画素と負極性の表示信号を供給する負極性画素との配列を示す極性パターンとに基づいて各画素に供給する表示信号の階調及び極性を決定し、前記明暗表示パターンが、水平方向及び垂直方向に前記明表示画素と前記暗表示画素とが１画素毎に交互に配列するパターンであり、前記極性パターンが、水平方向及び垂直方向に前記正極性画素と前記負極性画素とが２×ｎ（但し、ｎはｎ＞０の整数）画素毎に交互に配列するパターンであることを特徴とする液晶表示装置の駆動方法がある。
【００４８】
上記した駆動方法においては、水平方向及び垂直方向に明表示画素と暗表示画素とが１画素毎に交互に配列する明暗表示パターンと、水平方向及び垂直方向に正極性画素と負極性画素とが例えば２画素毎に交互に配列する極性パターンとを組み合わせて液晶表示装置を駆動する。このような駆動方法により、画面のちらつき及び焼きつきを防止しつつ、時分割によるＨＴ法の効果、すなわち画面を斜め方向から見たときに白っぽくなる現象（白茶け）を抑制することができる。また、明表示画素と暗表示画素とが１画素毎に並んでいるので、ざらつきのない良好な表示が可能になる。
【００４９】
更に、上記した駆動方法においては、映像信号を出力するコンピュータ等の装置から映像信号を入力し、明表示画素には映像信号の階調よりも高い階調となる第１の表示信号を供給し、暗表示画素には映像信号の階調よりも低い階調となる第２の表示信号を供給するので、映像信号の階調を改善することができる。
【００５０】
上記した課題は、複数の画素が配列された液晶表示パネルと、前記液晶表示パネルに形成されて前記画素に接続された複数のゲートバスライン及び複数のデータバスラインと、映像信号を入力し表示信号を出力する表示コントローラと、前記複数のゲートバスラインに順番に走査信号を供給するゲートドライバと、前記複数のデータバスラインに表示信号を供給するデータドライバと、前記データドライバの４ｋ＋１、４ｋ＋２、４ｋ＋３及び４ｋ＋４（但し、ｋは０を含む自然数）番目の出力端のうちの前記４ｋ＋２番目及び前記４ｋ＋３番目の出力端から出力された信号を、それぞれ４ｋ＋３番目及び４ｋ＋２番目のデータバスラインに供給する配線切換え部とを有することを特徴とする液晶表示装置により解決する。上記した液晶表示装置において、前記配線切換え部は、前記データドライバの前記４ｋ＋１番目及び前記４ｋ＋４番目の出力端から出力された信号を、それぞれ４ｋ＋１番目及び４ｋ＋４番目のデータバスラインに供給するようにしてもよい。
【００５１】
また、上記した課題は、複数の画素が配列された液晶表示パネルと、前記液晶表示パネルに形成されて前記画素に接続された複数のゲートバスライン及び複数のデータバスラインと、映像信号を入力し表示信号を出力する表示コントローラと、前記複数のゲートバスラインに順番に走査信号を供給するゲートドライバと、前記複数のデータバスラインに表示信号を供給するデータドライバと、前記複数のデータバスラインを複数本づつに区切ってなるグループのそれぞれに設けられ、前記グループの前記データバスラインのうちの少なくとも２本のデータバスラインを、当該グループにおける並んだ順番と異なる順番の前記データドライバの出力端に接続する配線切換え部とを有することを特徴とする液晶表示装置により解決する。上記した液晶表示装置において、各グループの前記配線切換え部によって入れ替えられる前記データバスラインの順番及び前記データドライバの出力端の順番は、同じであってもよく、さらに前記配線切換え部を介して前記データドライバの出力端に接続される前記データバスラインの本数は、前記配線切換え部を介さずに前記データドライバの出力端に接続される前記データバスラインの本数と同じであってもよい。
【００５２】
更に、上記した課題は、複数の画素が配列された液晶表示パネルと、前記液晶表示パネルに形成されて前記画素に接続された複数のゲートバスライン及び複数のデータバスラインと、映像信号を入力し表示信号を出力する表示コントローラと、前記複数のゲートバスラインに順番に走査信号を供給するゲートドライバと、奇数番目のデータバスラインに表示信号を供給する第１のデータドライバと、偶数番目のデータバスラインに表示信号を供給する第２のデータドライバと有し、前記表示コントローラは、前記複数の画素に対し、前記第１及び第２のデータドライバを介して２画素毎に極性が異なり、かつ１画素毎に階調が異なる表示信号を供給することを特徴とする液晶表示装置により解決する。
【００５３】
現在、一般的に使用されているドライバＩＣ（Integrated Circuit）の殆どは、隣合うデータバスラインに対し逆極性の電圧を印加するものか、又は全てのデータバスラインに対し同じ極性の電圧を印加するもののどちらかである。本発明のように、２つのデータドライバを使用し、一方のデータドライバで奇数番目のデータバスラインに供給する表示信号の極性を制御し、他方のデータドライバで偶数番目のデータバスラインに供給する表示信号の極性を制御して上述の駆動方法を実現すれば、汎用のドライバＩＣを使用することが可能になり、製造コストの上昇が回避される。
【００５４】
また、データドライバの４ｋ＋１、４ｋ＋２、４ｋ＋３及び４ｋ＋４（但し、ｋは０を含む自然数）番目の出力端子から出力された信号を、それぞれ４ｋ＋１、４ｋ＋３、４ｋ＋２及び４ｋ＋４番目のデータバスラインに供給する配線切換え部を設けることでも、汎用のドライバＩＣを使用することが可能になり、製造コストの上昇が回避される。
【図面の簡単な説明】
【００５５】
【図１】図１は、従来の液晶表示装置の構成を示す模式図である。
【図２】図２（ａ），（ｂ）は、ＭＶＡ型液晶表示装置の一例を示す模式断面図である。
【図３】図３は、ＴＦＴ基板側の画素電極にドメイン規制用構造物としてスリットを形成した液晶表示装置の例を示す模式断面図である。
【図４】図４は、従来のＭＶＡ型液晶表示装置の１画素分の領域を示す平面図である。
【図５】図５は、画面を正面から見たときのＴ−Ｖ特性と上６０°の方向から見たときのＴ−Ｖ特性とを示す図である。
【図６】図６は、１つの画素を複数の副画素に分割した従来の液晶表示装置の例を示す平面図である。
【図７】図７（ａ），（ｂ）は、従来の液晶表示装置の駆動方法の一例を示す図である。
【図８】図８（ａ），（ｂ）は、従来の液晶表示装置の駆動方法の他の例を示す図である。
【図９】図９（ａ），（ｂ）は、従来の液晶表示装置の駆動方法の更に他の例を示す図である。
【図１０】図１０は、中間階調の表示を行ったときの電圧Ｖ１，Ｖ２の階調差と斜め方向における輝度との関係を示す図である。
【図１１】図１１は、所望の輝度を得るために必要な電圧Ｖ１，Ｖ２の入出力階調特性を示す図である。
【図１２】図１２（ａ）〜（ｆ）は、従来の液晶表示装置の駆動方法の更に他の例を示す図である。
【図１３】図１３（ａ）〜（ｆ）は、従来の液晶表示装置の駆動方法の更に他の例を示す図である。
【図１４】図１４（ａ）〜（ｆ）は、従来の液晶表示装置の駆動方法の更に他の例を示す図である。
【図１５】図１５は、本発明の実施形態の液晶表示装置の構成を示すブロック図である。
【図１６】図１６は、実施形態の液晶表示パネルの１画素分の領域を示す平面図である。
【図１７】図１７は、図１６のＩ−Ｉ線の位置における模式断面図である。
【図１８】図１８（ａ）は奇数フレームにおける明暗表示パターンを示す図、図１８（ｂ）は偶数フレームにおける明暗表示パターンを示す図である。
【図１９】図１９（ａ）は４ｍ＋１番目のフレームにおける極性パターンを示す図、図１９（ｂ）は４ｍ＋２番目のフレームにおける極性パターンを示す図、図１９（ｃ）は４ｍ＋３番目のフレームにおける極性パターンを示す図、図１９（ｄ）は４ｍ＋４番目のフレームにおける極性パターンを示す図である。
【図２０】図２０（ａ）は４ｍ＋１番目のフレームにおける明暗表示パターンと極性パターンとを同時に示す図、図２０（ｂ）は４ｍ＋２番目のフレームにおける明暗表示パターンと極性パターンとを同時に示す図、図２０（ｃ）は４ｍ＋３番目のフレームにおける明暗表示パターンと極性パターンとを同時に示す図、図２０（ｄ）は４ｍ＋４番目のフレームにおける明暗表示パターンと極性パターンとを同時に示す図である。
【図２１】図２１は、変形例１の液晶表示装置を示す模式図である。
【図２２】図２２は、変形例２の液晶表示装置を示す模式図である。
【図２３】図２３（ａ）は金属配線とデータバスラインとの接続の一例を示す平面図、図２３（ｂ）は同じくその模式断面図である。
【図２４】図２４（ａ），図２４（ｂ）は、いずれも金属配線とデータバスラインとの接続の他の例を示す平面図である。
【図２５】図２５（ａ），（ｂ）は、いずれもリペア配線を有する液晶表示装置において、端子入れ替え部の位置を示す模式図である。
【発明を実施するための形態】
【００５６】
以下に、本発明の実施形態を図面に基づいて説明する。
【００５７】
（液晶表示装置の全体構成）
図１５は本発明の実施形態の液晶表示装置の構成を示すブロック図である。
【００５８】
本実施形態の液晶表示装置１００は、タイミングコントローラ１０１、極性パターン生成部１０２、明暗表示パターン生成部１０３、液晶表示コントローラ１０４、データドライバ１０５、ゲートドライバ１０６及び液晶表示パネル１０７により構成されている。この液晶表示装置１００には、パーソナルコンピュータ等の外部装置（図示せず）から、映像信号と制御信号とが入力される。
【００５９】
液晶表示パネル１０７には、複数の画素がマトリクス状に配列されている。１つの画素は、ＴＦＴ（薄膜トランジスタ）１１７と、このＴＦＴ１１７のソース電極に接続された表示セル（液晶セル）１２５及び補助容量１２６とにより構成されている。表示セル１２５は、後述する画素電極と、コモン電極と、それらの間の液晶と、一対の偏光板とにより構成される。補助容量１２６は、後述する補助容量バスラインと、補助容量電極と、それらの間の絶縁膜とにより構成される。
【００６０】
また、液晶表示パネル１０７には、水平方向に延びる複数のゲートバスライン１１２と、垂直方向に延びる複数のデータバスライン１１８とが形成されている。水平方向に並ぶ画素のＴＦＴ１１７のゲート電極は同一のゲートバスライン１１２に接続され、垂直方向に並ぶ画素のＴＦＴ１１７のドレイン電極は同一のデータバスライン１１８に接続されている。
【００６１】
タイミングコントローラ１０１は、外部装置から入力された制御信号に基づいて極性パターン生成用タイミング信号、明暗表示パターン生成用タイミング信号及びゲートドライバ用タイミング信号を発生し、それぞれ極性パターン生成部１０２、明暗表示パターン生成部１０３及びゲートドライバ１０６に出力する。
【００６２】
極性パターン生成部１０２は、タイミングコントローラ１０１から入力したタイミング信号に応じて後述する極性パターンの信号を生成し、液晶表示コントローラ１０４に出力する。また、明暗表示パターン生成部１０３は、タイミングコントローラ１０１から入力したタイミング信号に応じて後述する明暗表示パターンの信号を生成し、液晶表示コントローラ１０４に出力する。
【００６３】
液晶表示コントローラ１０４は、外部装置から映像信号を入力し、データドライバ１０５に表示信号を出力する。このとき、液晶表示コントローラ１０４は、映像信号と、極性パターン生成部１０２及び明暗表示パターン生成部１０３から入力される信号とに応じて、データバスライン１１８毎に表示信号の電圧及び極性を決定する。
【００６４】
データドライバ１０５は、液晶表示コントローラ１０４から入力したデジタルの表示信号をアナログの表示信号に変換し、各データバスライン１１８に所定のタイミングで出力する。
【００６５】
一方、ゲートドライバ１０６は、タイミングコントローラ１０１から入力したタイミング信号に基づいて、１垂直同期期間内に各ゲートバスライン１１２に順番に走査信号を出力する。走査信号が供給されたゲートバスライン１１２に接続されているＴＦＴ１１７はオン状態になり、データバスライン１１８に供給された表示信号が表示セル１２５に書き込まれる。これにより、表示セル１２５の液晶分子が表示信号に応じた角度で傾斜し、表示セル１２５の光の透過率が変化する。各表示セル１２５毎に光の透過率を制御することにより、液晶表示パネル１０７に所望の画像を表示することができる。
【００６６】
（液晶表示パネル）
図１６は液晶表示パネル１０７の１画素を示す平面図、図１７は図１６のＩ−Ｉ線の位置における模式断面図である。
【００６７】
これらの図１６，図１７に示すように、液晶表示パネル１０７は、ＴＦＴ基板１１０と、対向基板１３０と、これらのＴＦＴ基板１１０及び対向基板１３０との間に封入された垂直配向型液晶（誘電率異方性が負の液晶）１４０とにより構成されている。
【００６８】
ＴＦＴ基板１１０のベースとなるガラス基板１１１の上には、前述したように水平方向（Ｘ軸方向）に延びる複数のゲートバスライン１１２と、垂直方向（Ｙ軸方向）に延びる複数のデータバスライン１１８とが形成されている。これらのゲートバスライン１１２及びデータバスライン１１８により区画される矩形の領域がそれぞれ画素領域である。また、ガラス基板１１１の上には、ゲートバスライン１１２と平行に配置されて画素領域を横断する補助容量バスライン１１３が形成されている。
【００６９】
各画素領域には、ＴＦＴ１１７と、ＩＴＯ（Indium-Tin Oxide）等の透明導電体からなる画素電極１２１と、補助容量電極１１９とが形成されている。本実施形態において、ＴＦＴ１１７は、ゲートバスライン１１２の一部をゲート電極としている。また、ＴＦＴ１１７のドレイン電極１１７ｄはデータバスライン１１８に接続され、ソース電極１１７ｓはゲートバスライン１１２を挟んでドレイン電極１１７ｄに対向する位置に配置されている。
【００７０】
画素電極１２１は、コンタクトホール１２０ａ，１２０ｂを介してＴＦＴ１１７のソース電極１１７ｓ及び補助容量電極１１９に電気的に接続されている。また、ドメイン規制用構造物として、画素電極１２１には斜め方向に延びるスリット１２１ａが上下対称に形成されており、対向基板１３０には誘電体樹脂等からなる土手状の突起１３５が形成されている。
【００７１】
以下、図１７を参照して、ＴＦＴ基板１１０及び対向基板１３０の層構造について説明する。
【００７２】
ＴＦＴ基板１１０のベースとなるガラス基板１１１の上には、ゲートバスライン１１２及び補助容量バスライン１１３が形成されている。これらのゲートバスライン１１２及び補助容量バスライン１１３は、Ｃｒ（クロム）膜又はＡｌ（アルミニウム）−Ｔｉ（チタン）積層膜等の金属膜（第１の金属膜）をフォトリソグラフィ法によりパターニングして形成される。
【００７３】
これらのゲートバスライン１１２及び補助容量バスライン１１３は、ガラス基板１１１上に形成されたＳｉＯ2又はＳｉＮ等からなる第１の絶縁膜（ゲート絶縁膜）１１４に覆われている。この第１の絶縁膜１１４上の所定の領域には、ＴＦＴ１１７の活性層となるシリコン膜（アモルファスシリコン膜又はポリシリコン膜）１１５が形成されている。
【００７４】
シリコン膜１１５上には、ＳｉＮ等からなるチャネル保護膜１１６が形成されている。このチャネル保護膜１１６の両側には、ＴＦＴ１１７のソース電極１１７ｓ及びドレイン電極１１７ｄが形成されている。ドレイン電極１１７ｄは、前述したようにドレインバスライン１１８と接続されている。また、第１の絶縁膜１１４を挟んで補助容量バスライン１１３と対向する位置には、補助容量電極１１９が形成されている。これらのソース電極１１７ｓ、ドレイン電極１１７ｄ、データバスライン１１８及び補助容量電極１１９は、例えばＴｉ−Ａｌ−Ｔｉの３層構造の金属膜（第２の金属膜）をフォトリソグラフィ法によりパターニングして形成される。
【００７５】
ソース電極１１７ｓ、ドレイン電極１１７ｄ、データバスライン１１８及び補助容量電極１１９は、ＳｉＯ2又はＳｉＮ等からなる第２の絶縁膜１２０に覆われている。この第２の絶縁膜１２０の上には画素電極１２１が形成されている。この画素電極１２１には、前述したようにドメイン規制用構造物として斜め方向に延びるスリット１２１ａが形成されている。また、画素電極１２１は、第２の絶縁膜１２０に形成されたコンタクトホール１２０ａ，１２０ｂを介してソース電極１１７ｓ及び補助容量電極１１９と電気的に接続されている。
【００７６】
画素電極１２１は、第２の絶縁膜１２０上にＩＴＯ等からなる透明導電体膜を形成し、この透明導電体膜をフォトリソグラフィ法によりパターニングして形成される。画素電極１２１の表面は、ポリイミド等からなる垂直配向膜（図示せず）に覆われている。
【００７７】
一方、対向基板１３０のベースとなるガラス基板１３１の一方の面側（図では下側）には、ブラックマトリクス（遮光膜）１３２と、カラーフィルタ１３３と、コモン電極１３４と、ドメイン規制用の土手状の突起１３５とが形成されている。
【００７８】
ブラックマトリクス１３２は、ＴＦＴ基板１１０側のゲートバスライン１１２、データバスライン１１８、補助容量バスライン１１３及びＴＦＴ１１７に対向する位置に配置されている。カラーフィルタ１３３には、赤色、緑色及び青色の３種類があり、画素領域毎にいずれか１色のカラーフィルタが配置されている。隣接する赤色画素、緑色画素及び青色画素の３つの画素により１つのピクセルが構成され、種々の色が表示可能になる。
【００７９】
コモン電極１３４はＩＴＯ等の透明導電体により形成され、カラーフィルタ１３３の上（図１７では下側）に形成されている。このコモン電極１３４の上（図１７では下側）には、前述したようにドメイン規制用構造物として誘電体樹脂等からなる土手状の突起１３５が形成されている。これらの突起１３５は、図１６に示すように、ＴＦＴ基板１１０側の画素電極１２１のスリット１２１ａに対し斜め方向にずれた位置に配置される。コモン電極１３４及び突起１３５の表面は、ポリイミド等からなる垂直配向膜（図示せず）に覆われている。
【００８０】
なお、図１７には図示していないが、ＴＦＴ基板１１０の下側には第１の偏光板及びバックライトが配置され、対向基板１３０の上側には第２の偏光板が配置されている。
【００８１】
（駆動方法）
図１８（ａ）は奇数フレームにおける明暗表示パターンを示す図、図１８（ｂ）は偶数フレームにおける明暗表示パターンを示す図である。また、図１９（ａ）は４ｍ＋１番目（但し、ｍは０を含む自然数）のフレームにおける極性パターンを示す図、図１９（ｂ）は４ｍ＋２番目のフレームにおける極性パターンを示す図、図１９（ｃ）は４ｍ＋３番目のフレームにおける極性パターンを示す図、図１９（ｄ）は４ｍ＋４番目のフレームにおける極性パターンを示す図である。更に、図２０（ａ）は４ｍ＋１番目のフレームにおける明暗表示パターンと極性パターンとを同時に示す図、図２０（ｂ）は４ｍ＋２番目のフレームにおける明暗表示パターンと極性パターンとを同時に示す図、図２０（ｃ）は４ｍ＋３番目のフレームにおける明暗表示パターンと極性パターンとを同時に示す図、図２０（ｄ）は４ｍ＋４番目のフレームにおける明暗表示パターンと極性パターンとを同時に示す図である。
【００８２】
図１８（ａ），（ｂ）及び図１９（ａ）〜（ｄ）に示すように、本実施形態においては、横１ドット反転・縦１ドット反転明暗表示パターンと、横２ドット反転・縦２ドット反転極性パターンとを組み合わせて液晶表示パネル１０７を駆動する。すなわち、水平方向及び垂直方向に明表示の画素と暗表示の画素とが交互に並び、且つ、水平方向及び垂直方向に正極性の画素と負極性の画素とが２つおきに並ぶ。そして、図２０（ａ）〜（ｄ）に示すように、明暗表示パターンと極性パターンとの組み合わせが１フレーム毎に変化し、４フレームで一巡する。
【００８３】
明表示画素に供給される表示信号の電圧は外部装置から入力される映像信号の階調よりも高い階調となる電圧とし、暗表示の画素に供給される表示信号の電圧は映像信号の階調よりも低い階調となる電圧とする。但し、明表示と暗表示とが交互に行われることにより、実質的な階調が映像信号の階調と等しくなることが必要である。本実施形態においては、明表示と暗表示との階調差を、映像信号（入力信号）の階調に応じて、例えば図１１に示すように設定する。
【００８４】
このように液晶表示パネル１０７を駆動すると、図２０（ａ）〜（ｄ）に示すように、明表示画素と暗表示画素とが交互に並んでいるので、明表示画素と暗表示画素とが目視では判別できなくなり、画面のざらつきが回避される。また、水平方向及び垂直方向に、正極性の暗表示画素、正極性の明表示画素、負極性の暗表示画素及び負極性の明表示画素が交互に並んでいるので、ライン毎のちらつき及び液晶表示パネル全面のちらつきが回避される。
【００８５】
更に、１つの画素に着目すると、フレーム毎に正極性の暗表示、正極性の明表示、負極性の暗表示、負極性の明表示というように変化するので、液晶に直流成分が残留せず、焼きつきの発生が回避される。
【００８６】
更にまた、明表示画素と暗表示画素との階調差を大きく設定する（図１１参照）ことが可能であり、視野角特性を改善して斜め方向から画面を見たときに白っぽくなる現象（白茶け）を抑制することができる。
【００８７】
（変形例１）
図２０に示すような駆動方法を実現するためには、データバスライン１１８に対し２ライン毎に極性を反転するドライバＩＣ（Integrated Circuit）を用意する必要がある。しかし、現在使用されているドライバＩＣの殆どは、隣合うデータバスラインに対し逆極性の電圧を印加するものか、又は全てのデータバスラインに対し同じ極性の電圧を印加するもののどちらかである。図２０に示すように極性パターンを発生するドライバＩＣを新たに設計することも考えられる。しかし、その場合はドライバＩＣの汎用性がなくなり、液晶表示装置の製造コストの上昇を招く。
【００８８】
そこで、変形例１では、従来から使用されている汎用のドライバＩＣを使用し、図２１に示すように、液晶表示パネル１０７の上側及び下側にそれぞれドライバＩＣ１５１，１５２を配置する。そして、上側のドライバＩＣ１５１で奇数番目のデータバスライン１１８を駆動し、下側のドライバＩＣ１５２で偶数番目のデータバスライン１１８を駆動する。これらのドライバＩＣ１５１，１５２により、図２０（ａ）〜（ｆ）に示すような明暗表示パターン及び極性パターンで液晶表示パネル１０７を駆動する。
【００８９】
これにより、現在入手可能な汎用のドライバＩＣを使用することができて、液晶表示装置の製造コストの上昇を回避することができる。
【００９０】
（変形例２）
図２２は、変形例２の液晶表示装置を示す模式図である。この変形例２においても、汎用のドライバＩＣ１５３を使用する。また、変形例２においては、水平方向に並んだデータバスライン１１８を左端側から４本づつ区切ってそれぞれグループとし、各グループのデータバスライン１１８のうち左から２番目（４ｋ＋２：但し、ｋは０を含む自然数）と３番目（４ｋ＋３）の金属配線１６１を交差させてデータバスライン１１８に接続する。すなわち、４ｋ＋１番目の金属配線１６１は４ｋ＋１番目のデータバスライン１１８に接続し、４ｋ＋２番目の金属配線１６１は４ｋ＋３番目のデータバスライン１１８に接続し、４ｋ＋３番目の金属配線１６１は４ｋ＋２番目のデータバスライン１１８に接続し、４ｋ＋４番目の金属配線１６１は４ｋ＋４番目のデータバスライン１１８に接続する。以下、このように順番に並んだ金属配線と順番に並んだデータバスラインとを接続する際に、異なる順番の金属配線とデータバスラインとを接続することを、本願明細書では配線の入れ替えという。
【００９１】
これにより、現在市販されている汎用のドライバＩＣを使用して、図２０（ａ）〜（ｆ）に示すような横１ドット反転・縦１ドット反転明暗表示パターン、横２ドット反転・縦２ドット反転極性パターンで液晶表示パネル１０７を駆動することができる。
【００９２】
図２３（ａ）は、ドライバＩＣ側の配線とデータバスラインとの接続の一例を示す平面図、図２３（ｂ）は同じくその模式断面図である。この例では、ドライバＩＣの出力端子に接続される金属配線１６１をゲートバスライン１１２と同じ層（第１の金属膜）で形成し、画素電極と同時に形成されるＩＴＯ配線１６５により、４ｋ＋１番目の金属配線１６１と４ｋ＋１番目のデータバスライン１１８、４ｋ＋２番目の金属配線１６１と４ｋ＋３番目のデータバスライン１１８、４ｋ＋３番目の金属配線１６１と４ｋ＋２番目のデータバスライン１１８、４ｋ＋４番目の金属配線１６１と４ｋ＋４番目のデータバスライン１１８とをそれぞれ電気的に接続している。この場合、図２３（ａ）に示すように、４ｋ＋２番目の金属配線１６１と４ｋ＋２番目のデータバスライン１１８とは、上から見たときに交差している。
【００９３】
図２４（ａ）は、金属配線１６１とデータバスライン１１８との接続の他の例を示す平面図である。この例では、ＩＴＯ配線１６５が水平方向に並んで形成されている。そして、ドライバＩＣ側の４ｋ＋２番目の金属配線１６１は４ｋ＋３番目のＩＴＯ配線１６５に接続され、４ｋ＋３番目の金属配線１６１は４ｋ＋３番目のＩＴＯ配線１６５を迂回し、４ｋ＋３番目のデータバスライン１１８の端部の下を通って４ｋ＋２番目のＩＴＯ配線１６５に接続されている。
【００９４】
図２４（ｂ）は、金属配線１６１とデータバスライン１１８との接続の更に他の例を示す平面図である。この例では４ｋ＋３番目の金属配線１６１と４ｋ＋２番目のデータバスライン１１８とを接続するＩＴＯ配線１６５が斜め方向に延在して形成されており、ｋ＋２番目の金属配線１６１がこのＩＴＯ配線１６５の下を通ってｋ＋３番目のデータバスライン１１８と接続されている。
【００９５】
なお、図２３（ａ），（ｂ）及び図２４（ａ），（ｂ）はＴＦＴ基板に形成された金属配線１６１とＩＴＯ配線１６５とを用いて配線の入れ替えを行った場合の例を示したが、ドライバＩＣと液晶表示パネル１０７とを接続するフレキシブル基板内で配線の入れ替えを行ってもよい。
【００９６】
また、上述のように配線の入れ替えを行うと本来の信号の順番と液晶表示パネル内部の信号の順番とが異なってしまう。そこで、例えばドライバＩＣ内で表示信号の入れ替えを行うことで、良好な表示が可能となる。例えば、１クロックでＲＧＢの３画素分のデータを受け取る場合、４クロックで１２画素分のデータを入力し、
ＲＧＢ、ＲＧＢ、ＲＧＢ、ＲＧＢ、…
ＲＢＧ、ＲＧＲ、ＢＧＢ、ＧＲＢ、…
のように２番目と３番目、６番目と７番目、及び１０番目と１１番目の表示信号を入れ替える処理が必要となる。
【００９７】
また、液晶表示パネルには、通常、データバスラインに断線等の不具合が発生した場合にパネルを救済するために、データバスラインの上側の部分と下側の部分とを接続可能とするリペア配線が設けられている。このようなりペア配線が設けられた液晶表示パネルでは、図２５（ａ）に模式的に示すように、リペア配線１７５よりもドライバＩＣ側（図では上側）の部分に端子入れ替え部１７１を配置することが好ましい。リペア配線と表示部との間に端子入れ替え部を配置した場合は、図２５（ｂ）に模式的に示すように、上側のリペア配線１７５と表示部との間、及び下側のリペア配線１７５と表示部との間にそれぞれ端子入れ替え部１７１を配置することが好ましい。これにより、上側のリペア部と下側のリペア部との対応が容易になる。
【００９８】
以下、本発明の諸態様を、付記としてまとめて記載する。
【００９９】
（付記１）水平方向及び垂直方向に配列した複数の画素と、
映像信号を入力し、前記複数の画素にそれぞれ表示信号を供給する表示信号供給部とを有する液晶表示装置の駆動方法において、
前記表示信号供給部は、前記映像信号の階調よりも高い階調となる第１の表示信号を供給して明表示とする明表示画素と前記映像信号の階調よりも低い階調となる第２の表示信号を供給して暗表示とする暗表示画素との配列を示す明暗表示パターンと、正極性の表示信号を供給する正極性画素と負極性の表示信号を供給する負極性画素との配列を示す極性パターンとに基づいて各画素に供給する表示信号の階調及び極性を決定し、
前記明暗表示パターンが、水平方向及び垂直方向に前記明表示画素と前記暗表示画素とが１画素毎に交互に配列するパターンであり、
前記極性パターンが、水平方向及び垂直方向に前記正極性画素と前記負極性画素とが２×ｎ（但し、ｎはｎ＞０の整数）画素毎に交互に配列するパターンであることを特徴とする液晶表示装置の駆動方法。
【０１００】
（付記２）前記明表示画素と前記暗表示画素とが１フレーム毎に入れ替わることを特徴とする付記１に記載の液晶表示装置の駆動方法。
【０１０１】
（付記３）前記正極性画素と前記負極性画素とが１フレーム毎に入れ替わることを特徴とする付記１に記載の液晶表示装置の駆動方法。
【０１０２】
（付記４）前記複数の画素が、それぞれ正極性の明表示、正極性の暗表示、負極性の明表示及び負極性の暗表示の４つの状態を２×ｎ（但し、ｎはｎ＞０の整数）フレーム毎に一定の順番で推移することを特徴とする付記１に記載の液晶表示装置の駆動方法。
【０１０３】
（付記５）前記第１の表示信号の階調と前記第２の表示信号の階調との差が、前記映像信号の階調に応じて決定されることを特徴とする付記１に記載の液晶表示装置の駆動方法。
【０１０４】
（付記６）前記画素が、画素電極と、対向電極と、前記画素電極と対向電極との間の垂直配向型液晶とにより構成されていることを特徴とする付記１に記載の液晶表示装置の駆動方法。
【０１０５】
（付記７）複数の画素が配列された液晶表示パネルと、
前記液晶表示パネルに形成されて前記画素に接続された複数のゲートバスライン及び複数のデータバスラインと、
映像信号を入力し表示信号を出力する表示コントローラと、
前記複数のゲートバスラインに順番に走査信号を供給するゲートドライバと、
奇数番目のデータバスラインに表示信号を供給する第１のデータドライバと、
偶数番目のデータバスラインに表示信号を供給する第２のデータドライバと
を有し、前記表示コントローラは、前記複数の画素に対し、前記第１及び第２のデータドライバを介して２画素毎に極性が異なり、かつ１画素毎に階調が異なる表示信号を供給することを特徴とする液晶表示装置。
【０１０６】
（付記８）水平方向及び垂直方向に隣合う画素に供給される表示信号のうちの一方は前記映像信号の階調よりも高い階調の信号であり、他方は前記映像信号の階調よりも低い階調の信号であることを特徴とする付記７に記載の液晶表示装置。
【０１０７】
（付記９）前記画素が、画素電極と、対向電極と、前記画素電極と対向電極との間の垂直配向型液晶とにより構成されていることを特徴とする付記７に記載の液晶表示装置。
【０１０８】
（付記１０）前記第１及び第２のデータドライバが、前記液晶表示パネルの表示部を挟む位置に形成されていることを特徴とする付記７に記載の液晶表示装置。
【０１０９】
（付記１１）複数の画素が配列された液晶表示パネルと、
前記液晶表示パネルに形成されて前記画素に接続された複数のゲートバスライン及び複数のデータバスラインと、
映像信号を入力し表示信号を出力する表示コントローラと、
前記複数のゲートバスラインに順番に走査信号を供給するゲートドライバと、
前記複数のデータバスラインに表示信号を供給するデータドライバと、
前記データドライバの４ｋ＋１、４ｋ＋２、４ｋ＋３及び４ｋ＋４（但し、ｋは０を含む自然数）番目の出力端から出力された信号を、それぞれ４ｋ＋１、４ｋ＋３、４ｋ＋２及び４ｋ＋４番目のデータバスラインに供給する配線切換え部と
を有することを特徴とする液晶表示装置。
【０１１０】
（付記１２）前記データドライバの出力端子に接続した配線が前記ゲートバスラインと同じ層に形成され、前記配線切換え部が前記画素の画素電極と同じ層に形成された透明導電体の配線により構成されていることを特徴とする付記１１に記載の液晶表示装置。
【０１１１】
（付記１３）前記データバスラインの両端を電気的に接続可能なリペア配線を有し、前記配線切換え部が前記データドライバの出力端子と前記リペア配線との間に形成されていることを特徴とする付記１１に記載の液晶表示装置。
【０１１２】
（付記１４）前記画素が、画素電極と、対向電極と、前記画素電極と対向電極との間の垂直配向型液晶とにより構成されていることを特徴とする付記１１に記載の液晶表示装置。
【符号の説明】
【０１１３】
１０，１１０…ＴＦＴ基板
１２，５６，１２１…画素電極、
１２ａ，５６ａ，１２１ａ…スリット（ドメイン規制用構造物）
１３，２３，７１，１３５…突起（ドメイン規制用構造物）、
１４，２４…垂直配向膜、
２０，１３０…対向基板、
２２，１３４…コモン電極、
３０，１４０…液晶、
４０，１０７…液晶表示パネル、
５１，１１２…ゲートバスライン、
５２，１１３…補助容量バスライン、
５３，１１９…補助容量電極、
５４，１１７…ＴＦＴ、
５５，１１８…データバスライン、
８１ａ〜８１ｄ…副画素電極、
８２ａ〜８２ｄ…制御電極、
１００…液晶表示装置、
１０１…タイミングコントローラ、
１０２…極性パターン発生部、
１０３…明暗表示パターン発生部、
１０４…液晶表示コントローラ、
１０５…データドライバ、
１０６…ゲートドライバ、
１１１，１３１…ガラス基板、
１１４，１２０…絶縁膜、
１３２…ブラックマトリクス（遮光膜）、
１３３…カラーフィルタ、
１５１，１５２，１５３…ドライバＩＣ、
１６１…金属配線、
１６５…ＩＴＯ配線。
【図１】
2010204674.tif 000003
【図２】
2010204674.tif 000004
【図３】
2010204674.tif 000005
【図４】
2010204674.tif 000006
【図５】
2010204674.tif 000007
【図６】
2010204674.tif 000008
【図７】
2010204674.tif 000009
【図８】
2010204674.tif 000010
【図９】
2010204674.tif 000011
【図１０】
2010204674.tif 000012
【図１１】
2010204674.tif 000013
【図１２】
2010204674.tif 000014
【図１３】
2010204674.tif 000015
【図１４】
2010204674.tif 000016
【図１５】
2010204674.tif 000017
【図１６】
2010204674.tif 000018
【図１７】
2010204674.tif 000019
【図１８】
2010204674.tif 000020
【図１９】
2010204674.tif 000021
【図２０】
2010204674.tif 000022
【図２１】
2010204674.tif 000023
【図２２】
2010204674.tif 000024
【図２３】
2010204674.tif 000025
【図２４】
2010204674.tif 000026
【図２５】
2010204674.tif 000027